(57)【特許請求の範囲】
【請求項１】
サイフォン排水システムに用いられ、水廻り器具から排出された排水を貯留空間に一時貯留すると共に、排水を流出させるサイフォン排水管が接続された貯留槽であって、
拡縮可能であるとともに密閉され前記貯留空間と連通する拡縮室を構成する拡縮室部材を含んで構成され、前記貯留空間が正圧となったときに、拡張により前記正圧を吸収可能な正圧吸収手段、を備え、
前記貯留空間は仕切部材によって上方で互いに連通される複数の個別貯留部に区画され、前記複数の個別貯留部のうち少なくとも１つは水廻り器具から排出された排水の流入がない非流入個別貯留部とされ、前記拡縮室は前記非流入個別貯留部に対応する部分へ連通されている、貯留槽。
【請求項２】
請求項１に記載の貯留槽を備えた、サイフォン排水システム。
【発明の詳細な説明】
【技術分野】
【０００１】
本発明は、サイフォン力を利用して排水するサイフォン排水システムに関する。
【背景技術】
【０００２】
近年、従来の勾配排水システムに替わって、サイフォン排水システムが提案されている。サイフォン排水システムは、水廻り器具とサイフォン排水管とを含んで構成されている。
【０００３】
サイフォン排水管は、床スラブに沿って無勾配で配管された横引き管と、垂下部をなす竪管とを有している。サイフォン排水システムによれば、竪管にて発生するサイフォン力（負圧力）を利用して、水廻り器具からの排水効率の向上を図ることができる。
【０００４】
そして、更に、サイフォン排水システムにおいて、排水システム中に、水廻り器具からの排水を一時的に貯留する貯留槽を配置するサイフォン排水システムも提案されている（特許文献１）。
【０００５】
サイフォン排水システムでは、排水の開始からサイフォン起動までにタイムラグがあるため、排水量が多い場合、水廻り器具に排水が溢れるということが起こりうるが、このタイムラグ時の排水の溢れを、貯留槽への排水により解消することができる。すなわち、貯留槽が満水になるまでは、水廻り器具からの排水を貯留槽に溜めることにより、水廻り器具からの排水を行わせることができる。
【０００６】
このような貯留槽の機能を発揮させるためには、貯留槽内のエアの通気を行うことが必要となる。貯留槽内の通気が行われないと、サイフォン起動前には、貯留槽内が正圧（大気圧よりも高い圧力）になり、水廻り器具から貯留槽への排水性が低下し、水廻り器具から排水が溢れてしまうことが起こりうる。また、サイフォン起動時には、貯留槽内が負圧（大気圧よりも低い圧力）となり、トラップから空気が吸われて排水騒音を出しながら排水したり、排水完了時（まだサイフォンは効いているが、器具からの排水の供給が無くなったとき）には、トラップより封水を引っ張ってしまうので破封を生じさせたりするという不都合が生じる。そのため、貯留槽に通気管を設置して、貯留槽内の圧力を大気圧（いわゆる無圧）に維持することが行われる（特許文献２）。
【０００７】
しかしながら、通常、通気管は臭気を外部に出さないようにするために、排水立て管等に接続するため、設置に手間がかかると共に、床下スペースの関係で、設置が難しい場合もある。
【先行技術文献】
【特許文献】
【０００８】
【特許文献１】特開平６−４２０１９号公報
【特許文献２】特開２００８−１８４７７６号公報
【発明の概要】
【発明が解決しようとする課題】
【０００９】
本発明は、上記事実を考慮し、サイフォン排水システムにおいて、貯留槽内が過度の正圧状態となることを抑制し、水廻り器具から貯留槽への排水性を向上させることの可能な貯留槽、及び、この貯留槽を備えたサイフォン排水システム、を提供することを目的とする。
【課題を解決するための手段】
【００１０】
本発明の請求項１に係る貯留槽は、サイフォン排水システムに用いられ、水廻り器具から排出された排水を貯留空間に一時貯留すると共に、排水を流出させるサイフォン排水管が接続された貯留槽であって、拡縮可能であるとともに密閉され前記貯留空間と連通する拡縮室を構成する拡縮室部材を含んで構成され、前記貯留空間が正圧となったときに、拡張により前記正圧を吸収可能な正圧吸収手段、を備え、前記貯留空間は仕切部材によって上方で互いに連通される複数の個別貯留部に区画され、前記複数の個別貯留部のうち少なくとも１つは水廻り器具から排出された排水の流入がない非流入個別貯留部とされ、前記拡縮室は前記非流入個別貯留部に対応する部分へ連通されている。
【００１１】
請求項１の貯留槽では、水廻り器具からの排水が貯留槽へ流入し、貯留空間が正圧となると、正圧吸収手段が拡張して正圧が吸収される。ここで、正圧とは、大気圧よりも高圧であることをいい、負圧とは、大気圧よりも低圧であることをいう。本発明によれば、貯留空間が正圧となるのが抑制され、貯留槽への排水の流入がスムーズに行われる。これにより、水廻り器具からの排水性を向上させることができる。
【００１３】
上記構成の貯留槽では、貯留空間と連通した拡縮室が拡張することにより、貯留空間の正圧を吸収することができる。また、排水完了後には、拡張した拡縮室を縮小させて、拡縮室を元の状態に戻すことができる。
また、このように、拡縮室を非流入個別貯留部に対応する部分に連通させることにより、拡縮室への排水の流入を抑制することができる。
【００１４】
なお、貯留槽は、一端部が前記貯留空間と連通し他端部が前記拡縮室と連通する連通管を有するものであってもよい。
【００１５】
このように、連通管を介して、貯留空間と拡縮室とを連通させることができる。
【００１６】
また、貯留槽は、前記連通管の前記他端部が上方に延出されていること、を特徴とするものであってもよい。
【００１７】
このように、連通管の他端部を上方に延出させることにより、貯留槽内の排水が連通管に流入することを抑制することができる。
【００１８】
また、貯留槽は、前記連通管の前記他端部側が、鉛直方向に配置されていること、を特徴とするものであってもよい。
【００１９】
このように、連通管の他端部側、すなわち、連通管の拡縮室との接続側を、鉛直方向に配置することにより、貯留空間の正圧を効果的に吸収することができる。
【００２０】
また、貯留槽は、前記連通管の前記一端部が、前記貯留空間の上部と連通していること、を特徴とするものであってもよい。
【００２１】
このように、連通管の一端部を貯留空間の上部と連通させることにより、連通管への排水の流入を抑制することができる。
【００２４】
なお、貯留槽は、前記正圧吸収手段が、前記貯留空間を構成する壁部の少なくとも一部が拡縮可能である拡縮壁、を含んで構成されていること、を特徴とするものであってもよい。
【００２５】
上記構成の貯留槽では、貯留空間を構成する壁部の少なくとも一部が拡縮可能である拡縮壁を有しているので、貯留空間が正圧となった場合には、この拡縮壁が拡張することにより、貯留空間の正圧を吸収することができる。また、排水完了後には、拡張した拡縮壁を縮小させて、拡縮室を元の状態に戻すことができる。
【００２６】
また、貯留槽は、前記貯留空間が負圧となったときに、前記貯留空間へ空気を流入させる通気弁を備えているものであってもよい。
【００２７】
このように、負圧用の通気弁を備えることにより、貯留空間が負圧となることに起因する、排水異音や、封水切れなどを防止することができる。
【００２８】
本発明の請求項２に係るサイフォン排水システムは、請求項１に記載の貯留槽を備えたものである。
【００２９】
本発明のサイフォン排水システムによれば、貯留槽が正圧吸収手段を備えているので、貯留空間への排水の流入がスムーズに行われ、水廻り器具からの排水性を向上させることができる。
【発明の効果】
【００３０】
本発明は、上記構成としたので、簡易な構成で貯留槽内の正圧状態を緩和し、水廻り器具からの排水性を向上させることができる。
【図面の簡単な説明】
【００３１】
【図１】第１実施形態に係るサイフォン排水システムの全体構成を示す概略図である。
【図２】第１実施形態に係る貯留槽の構成を示す斜視図である。
【図３】第１実施形態に係る貯留槽に設置された拡縮室部材の概略図である。
【図４】第１実施形態に係る貯留槽に設置された拡縮室部材の変形例の概略図である。
【図５】第１実施形態に係る貯留槽に設置された拡縮室部材の他の変形例の概略図である。
【図６】第１実施形態に係る貯留槽への排水の流入と拡縮室部材、通気弁の動作を説明する概略図である。
【図７】サイフォン排水システムにおける排水量と貯留槽内の圧力を経時的に示すグラフである。
【図８】第１実施形態に係る貯留槽に設置された拡縮室部材の他の変形例の概略図である。
【図９】第１実施形態に係る貯留槽及び拡縮室部材の変形例の斜視図である。
【図１０】第１実施形態に係る貯留槽及び拡縮室部材の他の変形例の斜視図である。
【図１１】第１実施形態に係る貯留槽及び拡縮室部材の他の変形例の斜視図である。
【図１２】第２実施形態に係る貯留槽の概略図である。
【図１３】第２実施形態に係る貯留槽の変形例の概略図である。
【図１４】第２実施形態に係る貯留槽の他の変形例の概略図である。
【図１５】水廻り器具側に通気弁が設置されている例を示す概略図である。
【発明を実施するための最良の形態】
【００３２】
［第１実施形態］
以下に、本発明に係るサイフォン排水システム、貯留槽の、第１実施形態を図面に基づき説明する。
まず、本実施形態に係るサイフォン排水システムの全体構成を説明する。図１には、本実施形態に係るサイフォン排水システムの全体構成が概略図にて示されている。
【００３３】
本実施形態に係るサイフォン排水システム１０は、サイフォン力を利用して水廻り器具からの排水を効率よく排出する排水システムである。
【００３４】
本実施形態のサイフォン排水システム１０は、主に複数階で構成された集合住宅などに用いられる。図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００３５】
集合住宅の各階の各戸には、複数の水回り器具１６が設けられており、この水廻り器具１６には、水廻り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
なお、排水導入管１８は必須ではなく、水廻り器具１６は、直接貯留槽５０に接続されていてもよい。
【００３６】
図２（Ａ）に示すように、貯留槽５０は箱状とされており、水廻り器具１６からの排水を一時貯留するために設置されている。貯留槽５０の内部には、図２（Ｂ）に示すように、貯留空間５２が構成されている。貯留槽５０には、サイフォン排水管２２が接続されている。サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００３７】
横引き管２４及び竪管２６は、１本の排水管（複数の管を連結した場合にも分岐部分のない管）で構成され、合流部継手４０までは他の排水管と途中で合流することなく、排水立て管１２へ排水を導くようになっている。また、横引き管２４及び竪管２６は、排水が満流で流れるように管の内径が設定されている。横引き管２４内の排水には、排水が落下するときに生じるエネルギーにより、排水方向へ向かうサイフォン力が作用される。
【００３８】
図２（Ａ）に示すように、貯留槽５０の上部には、拡縮室部材６０、及び、通気弁３２が接続されている。通気弁３２は、外部から貯留槽５０内への空気の流入が可能とされていると共に、貯留槽５０内から外部へは空気及び排水を通過させない、逆止弁機能をもって構成されている。通気弁３２としては、メンブレンバルブなどのように弾性体を用いたものや、ボール式逆止弁など、種々の機械要素により構成された逆止弁を用いることが可能である。本実施形態では、図３（Ａ）に示すように、通常時には、閉鎖され、貯留空間５２が負圧になることにより、貯留槽５０側へ移動して開放される逆止弁３２Ａを備えた通気弁３２として説明する。
なお、本実施形態では、通気弁が貯留槽５０に設置されているが、通気弁は必ずしも貯留槽に設置する必要はなく、貯留槽５０に接続されている水廻り器具１６の少なくとも１つに設置されていればよい（図１５参照）。この場合、水廻り器具１６のトラップを、メンブレントラップ（自封式トラップ）とすることにより、トラップとしての機能だけでなく、通気弁としての機能を発揮させることができ、通気弁を別に設置する必要がない。
【００３９】
拡縮室部材６０は、連通管３４介して、貯留槽５０に接続されている。連通管３４は、管軸が鉛直方向に配置され、一端が貯留槽５０の上部に、他端が拡縮室部材６０の後述する開口６０Ａに接続されている。なお、連通管３４がない構成であってもよく、拡縮室部材６０が、直接貯留空間５２に連通している構成であってもよい。
【００４０】
図３にも示すように、拡縮室部材６０は袋状とされ、内部に密閉された拡縮室６２が構成されている。拡縮室部材６０には開口６０Ａが形成されており、この開口６０Ａに連通管３４が接続されている。拡縮室部材６０としては、伸縮自在な弾性材料で形成されたものなどを用いることができ、材質としては、例えば、ゴム、ビニル、エラストマーなどを用いることができる。
【００４１】
拡縮室部材６０は、内部の拡縮室６２に空気が流入することにより、図３（Ｂ）に示すように、膨出した膨出状態となり拡縮室６２が拡張する。また、内部の拡縮室６２から空気が流出することにより、図３（Ａ）に示すように、拡縮室６２が縮小して扁平となった扁平状態となる。このように、拡縮室６２は、拡縮可能となっている。
【００４２】
なお、拡縮室部材としては、種々の部材、構成のものを用いることが可能である。例えば、図４に示すように、ピストン６４がシリンダ６５内で往復移動可能に設けられたシリンダ状部材６３で構成してもよい。この構成では、ピストン６４が往復移動することにより、シリンダ６５の内部に形成される拡縮室が拡縮する。すなわち、シリンダ６５内に空気が流入することにより、図４（Ｂ）に示すように、ピストン６４が押し上げられて拡縮室６２が拡張され、シリンダ６５内から貯留槽５０へ空気が流出することにより、図４（Ａ）に示すように、ピストン６４が下がって拡縮室６２が縮小する。
【００４３】
また、図５に示すように、蛇腹状にされた側壁６６Ａを有する筒状の蛇腹状部材６６であってもよい。蛇腹状部材６６は、一端部（図５における上端部）が閉鎖され、他端部（図５における下端部）が開放され、この開放端部が連通管３４と連通している。蛇腹状部材６６は、蛇腹状の側壁６６Ａが伸縮可能とされており、図５（Ｂ）に示すように側壁６６Ａが伸長することにより、拡縮室６２が拡大され、図５（Ａ）に示すように側壁６６Ａが縮むことにより、拡縮室６２が縮小される。
【００４４】
なお、拡縮室部材６０は、拡張後に貯留槽５０内の貯留空間５２が負圧となったり、大気圧へ戻ったりした際に、拡縮室６２内の空気が貯留空間５２へ戻るように構成されていることが好ましい。例えば、拡縮室６２から貯留槽側５０へ流入する空気の流入抵抗を、通気弁３２から貯留槽５０側へ流入する空気の流入抵抗よりも小さくすることにより、拡縮室６２内の空気を貯留空間５２へ流入しやくすることができる。すなわち、貯留槽５０へは、通気弁３２からよりも拡縮室６２からの方が、空気を流入しやすくすることができる。この空気の流入しやすさは、例えば、拡縮室６２を形成する拡縮室部材６０の柔軟性を高くして、拡縮室６２が拡縮しやすくすることにより調整できる。
【００４５】
また、拡縮室部材６０に、内容積を縮小させる方向へ力を作用させることで、貯留空間５２が大気圧、負圧になった際に、拡縮室６２から貯留槽５０へ空気を流入しやすくすることができる。例えば、拡縮室部材６０として、ゴムなどの弾性変形可能なものを用いて、拡大した拡縮室６２を縮小させる復元力を発揮させたり、弾性を有さない材料を用いた場合でも、拡縮室６２を縮小させる形状に復元するように「くせ付け」を行っておいたりすることにより、拡縮室６２から貯留槽５０へ空気を戻すことができる。また、図４に示すシリンダ部材６３や、図５に示す蛇腹状部材６６を用いる場合には、ピストン６４、蛇腹状部材６６の上部に質量体を取り付けて、いわゆる重石とすることにより、拡縮室６２の縮小を行うことができる。
【００４６】
次に、本実施形態のサイフォン排水システム１０での排水について説明する。
水廻り器具１６（図６ではユニットバスの浴槽、及び、排水パンを例示している）からの排水は、図６（Ａ）に示すように、排水導入管１８を経て貯留槽５０へ流入する。貯留空間５２へ流入した排水は、サイフォン排水管２２から排出される。サイフォン力の起動前に、排水導入管１８からの流入量が、サイフォン排水管２２での排水量を上回ると、貯留空間５２の貯留水位が上がり、貯留槽５０に排水が貯留される。
【００４７】
ここで、貯留槽５０内に排水が流入すると、貯留槽５０内の貯留空間５２が正圧となり、貯留空間５２の空気は、図６（Ｂ）にも示すように、拡縮室部材６０を拡張させつつ、拡縮室６２へ流入する。これにより、貯留空間５２内の圧力上昇が抑制され、排水導入管１８から貯留槽５０への排水をスムーズに行うことができ、排水トラップＴＲから排水が溢れる等の不都合を抑制することができる。このとき、拡縮室６２から外部へ空気は流出しないため、外部への臭気漏れなく、正圧を吸収することができる。
【００４８】
続いて、サイフォン力が起動して、サイフォン排水管２２を流れる排水にサイフォン力が作用すると、サイフォン排水管２２による排水量が増加し、貯留槽５０内の水位が下がると共に、貯留空間５２が負圧になる。このとき、図６（Ｃ）に示すように、拡縮室６２から貯留空間５２へ空気が移動して、拡縮室６２が膨出前の偏平状態に縮小する。そして、図６（Ｄ）に示すように、通気弁３２から貯留空間５２へ空気が流入する。これにより、貯留槽５０内が過度に負圧になることが抑制され、貯留槽５０内の排水が吸引される際の排水異音を抑制することができる。また、水廻り器具１６の排水トラップＴＲにおける封水切れを抑制することができる。
【００４９】
図７には、サイフォン排水システムにおける排水量の変化と、貯留槽５０内の圧力変化との関係が示されている。上段のグラフは、一般的な貯留槽を有するサイフォン排水システムにおける、排水量を経時的に示すものであり、破線Ａは、水廻り器具１６から貯留槽５０への排水の流入量を示し、実線Ｂは、貯留槽５０からの排水の流出量を示している。実線Ｂで示されるように、排水開始当初は、排水量が少ないが、サイフォン力が起動すると排水量は急激に増加し（Ｂ−１）、サイフォン力が切れると排水量は急激に減少する（Ｂ−２）。
【００５０】
下段のグラフは、貯留槽５０内の圧力変化を経時的に示すものである。通気を全く行わない場合には、実線Ｃで示されるように、排水の開始後から貯留槽５０内の圧力が上昇し（Ｃ−１）、一定の正圧状態を維持する。サイフォン力が起動すると、貯留槽５０内の圧力は下がり（Ｃ−２）、負圧になる。その後、一定の負圧状態を維持した後（Ｃ−３）、サイフォン力が切れると、徐々に大気圧へと戻る（Ｃ−４）。通気弁３２のみを設けた場合には、一点鎖線Ｄで示されるように、排水の開始後からサイフォン力の起動前までは、通気なしの場合（実線Ｃ）と同様の圧力変化を示し、貯留槽５０内は正圧になる（Ｄ−１）。続いて、サイフォン力の起動により、貯留槽５０内の圧力は下がる。貯留槽５０内の圧力負圧になると、通気弁３２からの空気の流入により、貯留槽５０内は、排水完了まで、わずかな負圧となるのみで（Ｄ−２）、安定した状態が維持される。
【００５１】
一方、通気管（排水立て管に接続）を設けた場合には、破線Ｅで示されるように、貯留槽５０内の圧力は、排水の開始後からサイフォン力の起動までわずかに正圧となり（Ｅ−１）、サイフォン力の起動後から排水の完了までわずかに負圧となる（Ｅ−２）が、貯留槽５０内の圧力変化は、ほとんど生じない。
【００５２】
本実施形態では、拡縮室部材６０によって、図７の下段のグラフに斜線で示す部分の正圧を吸収することで、貯留空間５２内が正圧となることを抑制している。本実施形態のように、通気弁３２と拡縮室部材６０の双方を設けることにより、排水の開始後からサイフォン力の起動までの正圧を、拡縮室６２で吸収することができるため、破線Ｅと同様の圧力変化となる。すなわち、通気管を設けた場合と同様の効果を得ることができる。また、拡縮室部材６０及び通気弁３２は、通気管のように排水立て管に接続させる必要がないので、簡易に設置することができる。
【００５３】
なお、本実施形態では、貯留槽５０の上面に拡縮室部材６０を接続した例について説明したが、拡縮室部材６０は、図８（Ａ）〜（Ｄ）に示すように、貯留槽５０の側面上部に接続されていてもよい。この場合の連通管３４は、図８（Ａ）に示すように、水平方向に設置した連通管３４Ａとしてもよいし、図８（Ｂ）に示すように、貯留槽５０側の端部を水平方向に向けると共に、拡縮室部材６０側を上方へ屈曲させた、Ｌ字状の連通管３４Ｂとしてもよい。また、図８（Ｃ）に示すように、斜め上方へ延出した連通管３４Ｃとすることもできる。さらに、図８（Ｄ）に示すように、連通管の貯留槽５０側を斜め上方へ向け、拡縮室部材６０側を鉛直方向に向けた連通管３４Ｄとすることもできる。
【００５４】
また、本実施形態では、貯留槽５０内に仕切が設けられていない例について説明したが、図９に示すように、貯留槽内が仕切板５４により複数区画に５２Ａ、５２Ｂ、５２Ｃに仕切られ、各々の区画５２Ａ、５２Ｂ、５２Ｃに排水導入管１８、及び、サイフォン排水管２２Ａ、２２Ｂ、２２Ｃが接続されている貯留槽７０にも、本発明は適用することができる。
【００５５】
また、図１０に示すように、貯留槽内が複数区画に５２Ａ、５２Ｂ、５２Ｃに仕切られていて、排水導入管１８が接続されていない区画がある場合には（図１０では区画５２Ｂ）、当該区画に対応する位置の上部（天面）に、通気弁３２、拡縮室部材６０を接続することが好ましい。このような位置に設けることにより、排水導入管１８が接続されていない区画は、貯留水位が比較的低く満水状態になることが少ないため、通気弁３２、拡縮室部材６０へ排水が流入することを抑制することができる。
【００５６】
また、貯留槽内が複数区画に５２Ａ、５２Ｂ、５２Ｃに仕切られている場合には、図１１に示すように、各区画５２Ａ〜５２Ｃを跨ぐように、貯留槽５０の上面に凸状の通気部３１を形成し、各区画５２Ａ〜５２Ｃと連通させる構成としてもよい。この場合には、各区画５２Ａ〜５２Ｃにおける排水の貯留水位が仕切板５４を超えた場合でも、通気部３１は閉鎖されることがなく、適切に通気を確保することができると共に、通気弁３２、拡縮室部材６０への排水の流入も抑制することができる。
【００５７】
なお、本実施形態では、貯留槽５０に通気弁３２を設置したが、通気弁３２は必ずしも必要ではない。通気弁３２が設置されない場合には、拡縮室６２から貯留空間５２へ流入する空気により、貯留槽５０内の負圧を抑制することができる。特に、本実施形態では、通気弁３２を設置したので、拡縮室６２内の空気がなくなった後にも、貯留空間５２への給気を行うことができる。
【００５８】
また、本実施形態に係るサイフォン排水システム１０は、水回り器具からの排水を効率よく排出するものとして説明したが、雨水など水回り器具１６以外からの排水を効率よく排出するために用いられるものや、工場における冷却水などに用いられるサイフォン排水システムに適用することもできる。
【００５９】
［第２実施形態］
次に、本発明の第２実施形態について説明する。本実施形態については、第１実施形態と同様の部分については、同一の符号を付して、詳細な説明は省略する。
【００６０】
本実施形態のサイフォン排水システム１０の貯留槽８０は、図１２に示すように、上面が弾性膜８２で構成されている。弾性膜８２は、ゴム膜などの伸縮自在な材料で構成することができる。弾性膜８２には、通気弁３２が設置されており、貯留空間５２内が負圧になった時に、外部からの空気を貯留空間５２へ流入可能となっている。
【００６１】
弾性膜８２は、貯留空間５２が大気圧の状態では、図１２（Ａ）に示すように、貯留空間５２内に下がって凹状となるように設置されており、貯留空間５２が正圧になると、図１２（Ｂ）に示すように、外側へ膨出して貯留空間５２の内容積を拡大するように変形可能とされている。
【００６２】
上記構成の貯留槽８０へ、排水が流入すると、貯留槽８０内の貯留空間５２が正圧となり、貯留空間５２の空気は、図１２（Ｂ）に示すように、弾性膜８２を膨出させて貯留空間５２を拡大する。これにより、貯留空間５２内の圧力上昇が抑制され、排水導入管１８から貯留槽８０への排水をスムーズに行うことができる。このとき、貯留槽８０から外部へ空気は流出しないため、外部への臭気漏れなく、正圧を吸収することができる。
【００６３】
また、サイフォン力の起動により、貯留槽８０内が負圧になると、弾性膜８２が貯留空間５２を縮小するように変形移動し、続いて通気弁３２から貯留空間５２へ空気が流入する。これにより、貯留槽８０内が過度に負圧になることが抑制され、貯留槽８０内の排水が吸引される際の排水異音を抑制することができる。
【００６４】
なお、上記では、貯留槽の上面全体が弾性膜８２で構成されている例について説明したが、図１３に示すように、貯留槽の上面の一部のみに弾性膜８２を形成する構成とすることもできる。この場合にも、弾性膜８２は、貯留空間５２が大気圧の場合には、図１３（Ａ）に示すように、貯留空間５２内に下がって凹状となるように配置され、貯留空間５２が正圧になると、図１３（Ｂ）に示すように、外側へ膨出して貯留空間５２の容積を拡大する。
【００６５】
さらに、貯留槽は、図１４に示すように、全体が弾性膜８２で構成されていてもよい。この場合には、弾性膜８２は、貯留空間５２が大気圧の場合には、図１４（Ａ）に示すように縮んだ状態となり、貯留空間５２が正圧になると、図１４（Ｂ）に示すように、外側へ膨出して貯留空間５２の容積を拡大する。
【符号の説明】
【００６６】
１０   サイフォン排水システム
１８   排水導入管
２２   サイフォン排水管
３２   通気弁
３４   連通管
５０   貯留槽
５２   貯留空間
６０   拡縮室部材
６２   拡縮室
７０   貯留槽
８０   貯留槽
８２   弾性膜
【図１】
0005566638.tif 000002
【図２】
0005566638.tif 000003
【図３】
0005566638.tif 000004
【図４】
0005566638.tif 000005
【図５】
0005566638.tif 000006
【図６】
0005566638.tif 000007
【図７】
0005566638.tif 000008
【図８】
0005566638.tif 000009
【図９】
0005566638.tif 000010
【図１０】
0005566638.tif 000011
【図１１】
0005566638.tif 000012
【図１２】
0005566638.tif 000013
【図１３】
0005566638.tif 000014
【図１４】
0005566638.tif 000015
【図１５】
0005566638.tif 000016